(57)【要約】【課題】  撮像後の編集を不要若しくは容易にする。【解決手段】  シャッターキーの操作が検出されたならば、画像メモリから最後に記録したファイルの日付を読み出す（Ｓ１０２）。この読み出した最後に記録したファイルの日付（最新の日付）と時計部が計時している現在日付とが同日であるか否かを判断する（Ｓ１０３）。同日でない場合には、新規動画ファイルとして記録を開始する（Ｓ１０４）。同日である場合には、最後に録画した動画ファイルに継続録画を開始し（Ｓ１０７）、画像メモリに記録されている最新動画ファイルの最終フレームに引き続いて、今回撮像している動画を構成するフレームデータを順次記録していく。２回目のシャッターキーの操作が検出されたならば（Ｓ１０８；ＹＥＳ）、記録を終了する（Ｓ１０９）。したがって、１日以内に撮像された動画は単一の動画ファイルとして、画像メモリに記録される。【選択図】    図３
2005277609.tif 000002
【特許請求の範囲】
【請求項１】
動画撮影手段と、
この動画撮影手段によって撮影された日時を計時する計時手段と
この計時手段によって計時された撮影日時を、撮影された動画と対応付けて記録する記録手段と、
動画撮影を開始する開始手段と、
この開始手段により動画撮影が開始されると、前記記録手段に記録された動画が今回の動画撮影開始日時より所定の期間内に撮影されたものか否かを前記撮影日時より判断する判断手段と、
この判断手段による判断の結果、所定の期間に撮影されたものであると判断された場合、前記開始手段によって撮影が開始された動画を、前記記録手段に記録されている動画に結合させて記録する制御手段と
を備えることを特徴とする動画撮影装置。
【請求項２】
動画撮影ステップと、
この動画撮影ステップにて撮影された日時を計時する計時ステップと、
この計時ステップにて計時された撮影日時を、撮影された動画と対応付けてメモリに記録させる記録ステップと、
動画撮影を開始する開始ステップと、
この開始ステップにて動画撮影が開始されると、前記メモリに記録された動画が今回の動画撮影開始日時より所定の期間内に撮影されたものか否かを前記撮影日時より判断する判断ステップと、
この判断ステップによる判断の結果、所定の期間に撮影されたものであると判断された場合、前記開始ステップにて撮影が開始された動画を、前記メモリに記録されている動画に結合させて記録する制御ステップと
を備えることを特徴とする動画記録方法。
【請求項３】
撮像部と、この撮像部にて撮影された動画を記録するメモリと、計時部とを備える動画撮像装置が有するコンピュータを、
前記撮影部で撮影された日時を前記計時部で計時させ、撮影された動画と対応付けて前記メモリに記録させる記録制御手段と、
動画撮影を開始する開始手段と、
この開始手段により動画撮影が開始されると、前記メモリに記録された動画が今回の動画撮影開始日時より所定の期間内に撮影されたものか否かを前記撮影日時より判断する判断手段と、
この判断手段による判断の結果、所定の期間に撮影されたものであると判断された場合、前記開始手段によって撮影が開始された動画を、前記メモリに記録されている動画に結合させて記録する制御手段と
して機能させることを特徴とする動画記録制御プログラム。
【発明の詳細な説明】
【技術分野】
【０００１】
本発明は、動画を撮像して記録する動画撮像装置、動画撮像装置における動画記録方法及び動画記録制御プログラムに関する。
【背景技術】
【０００２】
従来、動画撮像機能を備えた一般的なデジタルカメラにおいては、１回目シャッターキーの操作に応答して動画撮像を開始し、２回目のシャッターキーの操作に応答して動画撮像を終了する。撮像が終了すると、例えば日付をファイル名として動画ファイルを作成し、作成した動画ファイルをファイル名と共にメモリに記憶する。また、同日に複数回の動画撮像を行った場合には、ファイル名に枝番を付する等により、各動画ファイルを異なるファイル名で記録する。したがって、同日に多数回の動画撮影を行うと、メモリには同日に撮像された動画ファイルが多数記録されてしまうこととなり、同日に撮像した動画を編集する際、複数のファイルを結合させる作業を強いられることとなり、編集作業が煩雑となってしまう。
【０００３】
そこで、記録停止前の各種符号化パラメータを記憶装置に保存し、記録再開後にそれを用いて記録停止前と連続したストリームを生成する圧縮記録装置が提案されるに至っている。係る圧縮記録装置は、一時停止や電源の切断によりストリームの記録が中断した場合でも、再開後同一ストリームとして以前のものと同一ストリームが生成できるとするものである（例えば、特許文献１参照。）。
【特許文献１】特開２０００−２８５５９９号公報
【発明の開示】
【発明が解決しようとする課題】
【０００４】
しかしながら、前記公報記載の技術にあっては、再開後同一ストリームとして以前のものと同一ストリームが生成されることから、この技術を動画の撮像機能を有するデジタルカメラに適用した場合、当該デジタルカメラで撮影した動画のデータは長大に連続するものとなる。したがって、編集を行う際には長大に連続する動画から所望のシーンを見つける等の作業が伴う。よって、編集する際に、複数のファイルを結合させる作業からは開放されるものの、長大に連続する動画から所望のシーンを見つける等の作業を強いられることとなり、これにより編集作業が煩雑となってしまう。
【０００５】
本発明は、かかる従来の課題に鑑みてなされたものであり、撮像後の編集を不要若しくは容易にすることのできる動画撮像装置、動画記録方法及び動画記録制御プログラムを提供することを目的とする。
【課題を解決するための手段】
【０００６】
前記課題を解決するために請求項１記載の発明に係る動画撮像装置にあっては、動画撮影手段と、この動画撮影手段によって撮影された日時を計時する計時手段と
【０００７】
この計時手段によって計時された撮影日時を、撮影された動画と対応付けて記録する記録手段と、動画撮影を開始する開始手段と、この開始手段により動画撮影が開始されると、前記記録手段に記録された動画が今回の動画撮影開始日時より所定の期間内に撮影されたものか否かを前記撮影日時より判断する判断手段と、この判断手段による判断の結果、所定の期間に撮影されたものであると判断された場合、前記開始手段によって撮影が開始された動画を、前記記録手段に記録されている動画に結合させて記録する制御手段とを備える。
【０００８】
したがって、この動画撮像装置においては、所定の期間内で複数回の動画撮影を行った場合であっても、この所定の期間内で撮像された複数の動画は連続した単一の動画として、記録手段に記録される。よって、撮像後に編集作業を行わずとも、所定の期間毎に単一の動画を得ることができ、これにより編集作業を不要とすることができる。また、動画は所定の期間内での長さを有するものであることから、その中から所望のシーンを見つけ出すことも容易となり、よって編集を行う場合であってもその作業を容易に行うことができる。
【０００９】
また、請求項２記載の発明に係る動画記録方法にあっては、動画撮影ステップと、この動画撮影ステップにて撮影された日時を計時する計時ステップと、この計時ステップにて計時された撮影日時を、撮影された動画と対応付けてメモリに記録させる記録ステップと、動画撮影を開始する開始ステップと、この開始ステップにて動画撮影が開始されると、前記メモリに記録された動画が今回の動画撮影開始日時より所定の期間内に撮影されたものか否かを前記撮影日時より判断する判断ステップと、この判断ステップによる判断の結果、所定の期間に撮影されたものであると判断された場合、前記開始ステップにて撮影が開始された動画を、前記メモリに記録されている動画に結合させて記録する制御ステップとを備える。したがって、記載したステップに従って処理を実行することにより、請求項１記載の発明と同様の作用効果を奏する。
【００１０】
また、請求項３記載の発明に係る動画記録制御プログラムにあっては、撮像部と、この撮像部にて撮影された動画を記録するメモリと、計時部とを備える動画撮像装置が有するコンピュータを、前記撮影部で撮影された日時を前記計時部で計時させ、撮影された動画と対応付けて前記メモリに記録させる記録制御手段と、動画撮影を開始する開始手段と、
【００１１】
この開始手段により動画撮影が開始されると、前記メモリに記録された動画が今回の動画撮影開始日時より所定の期間内に撮影されたものか否かを前記撮影日時より判断する判断手段と、この判断手段による判断の結果、所定の期間に撮影されたものであると判断された場合、前記開始手段によって撮影が開始された動画を、前記メモリに記録されている動画に結合させて記録する制御手段として機能させる。したがって、前記コンピュータがこのプログラムに従って処理を実行することにより、請求項１記載の発明と同様の作用効果を奏する。
【発明の効果】
【００１２】
本発明によれば、所定の期間内で複数回の動画撮影を行った場合であっても、この所定の期間内で撮像された複数の動画を単一の動画として記録手段に記録することができる。よって、撮像後に編集作業を行わずとも、所定の期間毎の動画を得ることができ、これにより編集作業を不要とすることができる。また、動画は所定の期間内での長さを有するものであることから、その中から所望のシーンを見つけ出すことも容易となり、よって編集を行う場合であってもその作業を容易に行うことができる。
【発明を実施するための最良の形態】
【００１３】
以下、本発明の一実施の形態を図に従って説明する。
（第１の実施の形態）
【００１４】
図１は、本発明の一実施の形態に係る動画撮像機能を備えたデジタルカメラの構成を示すブロック図である。図に示すように、このデジタルカメラは、被写体画像を結像させるレンズ１を備え、レンズ１の撮影光軸後方にアナログ信号処理部２が配置されている。アナログ信号処理部２は、ＣＣＤ、ＣＭＯＳ等の撮像センサ２１と、サンプリング／信号処理部２２、及びＡＤコンバータ２３とで構成されている。撮像センサ２１は、ドライバ３により駆動されて、レンズ１により結像された被写体画像のＲＧＢの各色の強さを電流値に変換する。サンプリング／信号処理部２２は、撮像センサ２１からの画像信号のノイズや色むらを抑えるために相関二重サンプリング処理や信号増幅処理を行う。ＡＤコンバータ２３は、サンプリング／信号処理部２２がサンプリング・増幅したアナログ信号をデジタル信号に変換し、ＲＧＢ、ＣＹＭＧ各色について１２ｂｉｔデータに変換してバスライン４に出力する。
【００１５】
制御部５は、ＣＰＵ及びその周辺回路と、ＣＰＵの作業用メモリであるＲＡＭ、及び内蔵クロック（不図示）に基づき現在年月日及び現在時刻を計時する時計部５１等を有するマイクロコンピュータであり、後述するプログラムメモリ１６に格納されるプログラムに基づいて、このデジタルカメラ全体を制御する。プレビューエンジン６は、アナログ信号処理部２を介して入力されたデジタルデータ、若しくはシャッター操作検出後イメージバッファ１２に格納されたデジタルデータ、及び画像メモリ１７に格納されたデジタルデータを表示部９に表示させるための間引き処理を行う回路部である。Ｄ／Ａコンバータ７は、プレビューエンジン６により間引きされたデジタルデータを変換し、後段のドライバ８に出力する。ドライバ８は、後段の表示部９に表示されるデジタルデータを一時記憶するバッファ領域を備え、キー操作部１３、制御部５を介して入力された制御信号に基づいて制御部５を駆動する。表示部９は、プレビュー画像を表示可能なカラーＴＦＴ液晶からなる。
【００１６】
フラッシュコントローラーは、ストロボフラッシュ用のＬＥＤ１１を制御するものであり、ストロボ発光の際の充電制御も兼ねる。イメージバッファ（ＳＤＲＡＭ）は、アナログ信号処理部２又はデジタル信号処理部１４を介して入力され、デジタル信号処理部１４で処理されるデジタルデータを一時的に格納する領域である。キー操作部１３は、シャッターキー１３１及び不図示の記録／再生モード、記録モードにおける動画撮影モードへの切り換えキー、十字キー、メニューキー等の外部操作手段を備える。シャッターキー１３１は、本実施の形態において動画撮影の開始及び終了を指示するためのキーである。デジタル信号処理部１４は、アナログ信号処理部２を介して入力されたデジタルデータ（非圧縮のＲＡＷイメージデータ）について、ホワイトバランス処理、色処理、階調処理、輪郭強調を行う。
【００１７】
画像圧縮／伸張処理部１５は、デジタル信号処理部１４を介して入力されたデジタルデータ（非圧縮のＲＡＷイメージデータ）をＪＰＥＧ方式やＭＰＥＧ方式に圧縮符号化したり、再生モードにおいては、ＪＰＥＧ形式のファイルやＭＰＥＧ形式のファイルを伸長する。動画撮影の場合は、アナログ信号処理部２→イメージバッファ１２→デジタル信号処理部１４→圧縮／伸張処理部１５まで、一連の動作を行って動画ファイル（ＪＰＥＧ２０００形式、ＭＰＥＧ−４形式のファイル）を作成する。プログラムメモリ（ＮＡＮＤ  Ｆｌａｓｈ  ＲＯＭ）１６は、制御部５にロードされる各種プログラムを格納するとともに、ＥＶ値、色補正情報等の各種情報をテーブル単位で格納しており、またＤＣＦ規格に準拠されているファイルに埋め込む各種情報も記憶している。画像メモリ１７は、ファイル形式に変換されたデジタルデータを格納する。カードＩ／Ｆ１８は、外部記録媒体１９とこのデジタルカメラとの間のデータ変換をサポートするものであり、外部記録媒体１９は、コンパクトフラッシュ（登録商標）、メモリースティック、ＳＤカード等の着脱自在なメモリからなる。外部接続用Ｉ／Ｆ２０は、ＵＳＢコネクター用スロットからなる。
【００１８】
図２は、前記画像メモリ１７のメモリ構成図であり、この画像メモリ１７にはファイル名と共に動画ファイルを記録する動画ファイル記録領域１７１と、当該動画ファイル記録領域１７１に記録された動画の撮像日を記録する記録日付領域１７２とが設けられている。
【００１９】
以上の構成に係る本実施の形態において、ユーザがキー操作部１３に設けられている前記切り換えキーを操作して動画撮影モードを設定すると、制御部５はプログラムメモリ１６からプログラムをロードして、図３に示すフローチャートに従って処理を実行する。すなわち、シャッターキー１３１の操作を検出するまで待機し（ステップＳ１０１）、シャッターキー１３１の操作が検出されたならば、画像メモリ１７の記録日付領域１７２から最後に記録したファイルの日付を読み出す（ステップＳ１０２）。そして、この読み出した最後に記録したファイルの日付（最新の日付）と時計部５１が計時している現在日付とが同日であるか否かを判断する（ステップＳ１０３）。
【００２０】
同日でない場合には、新規動画ファイルとして記録を開始し、イメージバッファ１２に動画を構成するフレームデータを順次蓄積していく（ステップＳ１０４）。さらに、２回目のシャッターキー１３１の操作が検出されるまで（ステップＳ１０５）、イメージバッファ１２への動画データの蓄積を継続する。そして、２回目のシャッターキー１３１の操作が検出されたならば（ステップＳ１０５；ＹＥＳ）、動画撮像を終了して動画ファイルを作成し、作成した動画ファイルにファイル名を付して、画像メモリ１７の動画ファイル記録領域１７１に記録するとともに、現在日付を記録日付領域１７２に記録する（ステップＳ１０６）。
【００２１】
一方、ステップＳ１０３での判断の結果、最後に記録したファイルの日付（最新の日付）と時計部５１が計時している現在日付とが同日である場合には、最後に録画した動画ファイルに継続録画を開始する（ステップＳ１０７）。すなわち、画像メモリ１７の動画ファイル記録領域１７１に記録されている最新動画ファイルの最終フレームに引き続いて、今回撮像している動画を構成するフレームデータを順次記録していく。さらに、２回目のシャッターキー１３１の操作が検出されるまで（ステップＳ１０８）、記録を継続する。そして、２回目のシャッターキー１３１の操作が検出されたならば（ステップＳ１０８；ＹＥＳ）、記録を終了する（ステップＳ１０９）。
【００２２】
したがって、本実施の形態によれば、図２に示したように、１日以内に撮像された動画は単一の動画ファイルとして、画像メモリ１７に記録される。よって、撮像後に編集作業を行わずとも、１日毎の動画ファイルを得ることができ、これにより編集作業を不要とすることができる。また、動画ファイルは１日内での長さを有するものであることから、その中から所望のシーンを見つけ出すことも容易となり、よって編集を行う場合であってもその作業を容易に行うことができる。
【００２３】
（第２の実施の形態）
図４は、本発明の第２の実施の形態における処理手順を示すフローチャートである。このフローチャートにおいて、ステップＳ２０６を除くステップＳ２０１〜Ｓ２０５及びＳ２０７〜Ｓ２０９は、前述した第１の実施の形態を示す図３のフローチャートにおける、ステップＳ１０６を除くステップＳ１０１〜Ｓ１０５及びＳ１０７〜Ｓ２０９と同一の処理である。そして唯一異なるステップＳ２０６においては、現在日付をファイル名にして作成した動画ファイルを画像メモリ１７の動画ファイル記録領域１７１に記録するとともに、現在日付を記録日付領域１７２に記録する。
【００２４】
したがって、本実施の形態によれば、図５に示すように、１日内で撮像された動画が単一の動画ファイルとして、１日毎に記録手段に記録されるのみならず、１日毎の動画ファイルが当該日付をファイル名として記録されることとなる。よって、撮像後にファイル名変更を行わずとも、当該日の動画ファイルであることが明確な動画ファイルを得ることができる。
【００２５】
（第３の実施の形態）
図６は、本発明の第３の実施の形態における処理手順を示すフローチャートである。すなわち、シャッターキー１３１の操作を検出するまで待機し（ステップＳ３０１）、シャッターキー１３１の操作が検出されたならば、画像メモリ１７の記録日付領域１７２から最後に記録したファイルの日付を読み出す（ステップＳ３０２）。そして、この読み出した最後に記録したファイルの日付（最新の日付）と時計部５１が計時している現在日付との差が３日以内であるか否かを判断する（ステップＳ３０３）。
【００２６】
３日以内でない場合には、新規動画ファイルとして記録を開始し、イメージバッファ１２に動画を構成するフレームデータを順次蓄積していく（ステップＳ３０４）。さらに、２回目のシャッターキー１３１の操作が検出されるまで（ステップＳ３０５）、イメージバッファ１２への動画データの蓄積を継続する。そして、２回目のシャッターキー１３１の操作が検出されたならば（ステップＳ３０５；ＹＥＳ）、動画撮像を終了して動画ファイルを作成し、作成した動画ファイルにファイル名を付して、画像メモリ１７の動画ファイル記録領域１７１に記録するとともに、現在日付を記録日付領域１７２に記録する（ステップＳ３１０６）。
【００２７】
一方、ステップＳ３０３での判断の結果、最後に記録したファイルの日付（最新の日付）と時計部５１が計時している現在日付との差が３日以内である場合には、最後に録画した動画ファイルに継続録画を開始する（ステップＳ３０７）。すなわち、画像メモリ１７の動画ファイル記録領域１７１に記録されている最新動画ファイルの最終フレームに引き続いて、今回撮像している動画を構成するフレームデータを順次記録していく。さらに、２回目のシャッターキー１３１の操作が検出されるまで（ステップＳ３０８）、記録を継続する。そして、２回目のシャッターキー１３１の操作が検出されたならば（ステップＳ３０８；ＹＥＳ）、記録を終了する（ステップＳ３０９）。
【００２８】
したがって、本実施の形態によれば、３日以内で撮像された動画は単一の動画ファイルとして、当該３日毎に画像メモリ１７に記録される。よって、撮像後に編集作業を行わずとも、３日毎の動画ファイルを得ることができ、これにより編集作業を不要とすることができる。また、動画ファイルは３日内での長さを有するものであることから、その中から所望のシーンを見つけ出すことも容易となり、よって編集を行う場合であってもその作業を容易に行うことができる。
【００２９】
（第４の実施の形態）
図４は、本発明の第４の実施の形態における処理手順を示すフローチャートである。このフローチャートにおいて、ステップＳ４０６、Ｓ４１０、Ｓ４１１を除くステップＳ４０１〜Ｓ４０５及びＳ４０７〜Ｓ４０９は、前述した第１の実施の形態を示す図３のフローチャートにおける、ステップＳ３０１〜Ｓ３０５及びＳ３０７〜Ｓ４０９と同一の処理である。そしてステップＳ４０６においては、現在日付をファイル名にして作成した動画ファイルを画像メモリ１７の動画ファイル記録領域１７１に記録するとともに、現在日付を記録日付領域１７２に記録する。
【００３０】
また、ステップＳ４１０においては、ステップＳ４０２で画像メモリ１７の記録日付領域１７２から読み出した、最後に記録したファイルの日付（その日付）が現在日時と同日であるか否かを判断する。そして、同日である場合には、ステップＳ４１１の処理を行うことなくリターンし、同日でない場合には、現在日付を付加してファイル名を変更する（ステップＳ４１１）。
【００３１】
したがって、例えば２００４年の２月３日と２月５日とに動画撮影を行った場合、若しくは２００４年の２月３日から３日間連続して動画撮影を行った場合には、ステップＳ４１１の処理が実行されることにより、図８のファイル番号「１」に示すように、「２００４年０２月０３日〜２００４年０２月０５日．ｍｐｇ」なるファイル名が付されて３日間分の動画ファイルが画像メモリ１７の動画ファイル記録領域１７１に記録されることとなる。
【００３２】
また、例えば２００４年の２月９日のみ動画撮影を行った場合には、ステップＳ４１１の処理が実行されずに、ステップＳ４０６の処理のみが実行されることにより、図８のファイル番号「２」に示すように、「２００４年０２月０９日．ｍｐｇ」なるファイル名が付されて１日間分の動画ファイルが画像メモリ１７の動画ファイル記録領域１７１に記録されることとなる。
【００３３】
さらに、例えば２００４年の３月２日と３月３日との連続する２日間のみ動画撮影を行った場合には、ステップＳ４１１の処理が実行されることにより、図８のファイル番号「３」に示すように、「２００４年０３月０２日〜２００４年０３月０３日．ｍｐｇ」なるファイル名が付されて２日間分の動画ファイルが画像メモリ１７の動画ファイル記録領域１７１に記録されることとなる。したがって、ファイル名を一見するのみで、当該動画ファイルの撮像時を容易に認識することができる。
【００３４】
なお、実施の形態においては、１日あるいは３日を所定の時間としたが、所定の時間はこれに限らず、より短くても長くてもよく、また日を単位とせずに時間を単位としての所定の時間であってもよい。また、所定の時間の設定手段を設けて、この設定手段により設定された時間を所定の時間とするようにしてもよく、これによりユーザは任意の所定の時間内で撮像した単一の動画ファイルを得ることができる。さらに、実施の形態においては、本発明をデジタルカメラに適用した場合について説明したが、デジタルカメラ以外のビデオカメラ等の動画撮像機能を有する機器であれば、他の機器であっても本発明を適用することができる
【図面の簡単な説明】
【００３５】
【図１】本発明の一実施の形態に係るデジタルカメラの構成を示すブロック図である。
【図２】本発明の第１の実施の形態における画像メモリの記憶状態を示す図である。
【図３】同実施の形態における処理手順を示すフローチャートである。
【図４】本発明の第２の形態における処理手順を示すフローチャートである。
【図５】同実施の形態の形態における画像メモリの記憶状態を示す図である。
【図６】本発明の第３の形態における処理手順を示すフローチャートである。
【図７】本発明の第４の形態における処理手順を示すフローチャートである。
【図８】同実施の形態の形態における画像メモリの記憶状態を示す図である。
【符号の説明】
【００３６】
１    レンズ
２    アナログ信号処理部
３    ドライバ
４    バスライン
５    制御部
７    Ｄ／Ａコンバータ
８    ドライバ
１１    ＬＥＤ
１２    イメージバッファ
１３    キー操作部
１４    デジタル信号処理部
１５    画像圧縮／伸張処理部
１６    プログラムメモリ
１７    画像メモリ
２１    撮像センサ
５１    時計部
１３１    シャッターキー
１７１    動画ファイル記録領域
１７２    記録日付領域
【図１】
2005277609.tif 000003
【図２】
2005277609.tif 000004
【図３】
2005277609.tif 000005
【図４】
2005277609.tif 000006
【図５】
2005277609.tif 000007
【図６】
2005277609.tif 000008
【図７】
2005277609.tif 000009
【図８】
2005277609.tif 000010